(57)【要約】  体幹の回旋や、両脚の回旋・外転・内転といった三次元的な動作を伴う各種の運動におけるパフォーマンスを十分に向上させることが可能な運動用股付き衣類を提供する。  運動用股付き衣類１では、着用状態において、第１緊締部２１による緊締力が大転子の周囲に存在する筋肉群に作用し、骨盤帯の可動領域が広がるようにサポートされる。一方、環状の第１緊締部２１の内側には、第１ライン２１ａと第２ライン２１ｂとの間隔が大転子位置Ａに接近するに従って徐々に拡がることにより、サイドホール２４が形成されている。このようなサイドホール２４の形成により、着用者の大転子が第１緊締部２１によって直接的に圧迫されることが回避される。したがって、運動用股付き衣類１では、第１緊締部２１による大転子周りの筋肉群のサポート、及びサイドホール２４による骨盤帯の柔軟性の確保により、各種の運動パフォーマンスを効果的に向上させることができる。
2009034621.tif 000002
【特許請求の範囲】
【請求項１】
着用者の下半身の少なくとも一部を被覆する運動用股付き衣類であって、
伸縮性を有する素材によって形成された本体部と、
前記本体部よりも高い緊締力を有する緊締部とを備え、
前記緊締部は、
前記本体部の側部において、前記着用者の大転子の周囲を囲むように環状に形成された左右一対の第１緊締部を備えたことを特徴とする運動用股付き衣類。
【請求項２】
着用者の下半身の少なくとも一部を被覆する運動用股付き衣類であって、
伸縮性を有する素材によって形成された本体部と、
前記本体部よりも高い緊締力を有する緊締部とを備え、
前記緊締部は、
前記本体部の側部において、前記着用者の大転子よりも上側を通る第１ラインと、前記着用者の大転子よりも下側を通る第２ラインとからなり、前記大転子の位置に接近するに従って前記第１ラインと前記第２ラインとの間隔が拡がることで、前記大転子の周囲を囲むように配置される左右一対の第１緊締部を備えたことを特徴とする運動用股付き衣類。
【請求項３】
着用者の下半身の少なくとも一部を被覆する運動用股付き衣類であって、
伸縮性を有する素材によって形成された本体部と、
前記本体部よりも高い緊締力を有する緊締部とを備え、
前記緊締部は、
前記本体部の側部において、前記着用者の大転子の周囲を囲むように複数の緊締部を配置してなる左右一対の第１緊締部を備えたことを特徴とする運動用股付き衣類。
【請求項４】
前記緊締部は、前記本体部の前部において、前記着用者の鼠蹊部に沿って延在すると共に前記第１緊締部に連結された帯状の第２緊締部を更に備えたことを特徴とする請求項１〜３のいずれか一項記載の運動用股付き衣類。
【請求項５】
前記緊締部は、前記本体部の後部において、前記着用者の腰部に対応する位置で前記第１緊締部同士を連結する第３緊締部を更に備えたことを特徴とする請求項１〜４のいずれか一項記載の運動用股付き衣類。
【請求項６】
前記第１緊締部は、前記大転子の周囲において、当該本体部における後部上側から前部下側にかけて延在していることを特徴とする請求項１〜５のいずれか一項記載の運動用股付き衣類。
【請求項７】
前記第２緊締部は、複数の緊締部によって形成されていることを特徴とする請求項４記載の運動用股付き衣類。
【請求項８】
前記第３緊締部は、複数の緊締部によって形成されていることを特徴とする請求項５記載の運動用股付き衣類。
【発明の詳細な説明】
【技術分野】
【０００１】
本発明は、着用者の体幹・下肢の運動をサポートする運動用股付き衣類に関する。
【背景技術】
【０００２】
各種運動のパフォーマンスの向上には、下半身、特に骨盤から股関節にかけての骨盤帯の柔軟性や安定性が重要となる。近年では、下半身をサポートすることにより、運動パフォーマンスの向上を図った運動用股付き衣類が知られている。運動用股付き衣類に対するニーズは非常に根強いものがあり、ゴルフを例に挙げれば、日々の筋力トレーニングやストレッチなどをせずとも、クラブのスイングスピードを上げて飛距離を伸ばしたいと考えているユーザは、顕在的に数多く存在している。【０００３】
運動用股付き衣類としては、例えば特許文献１に記載の下肢部保護衣料がある。この従来の運動用股付き衣類は、伸縮性を有する身頃と、身頃よりも強い緊締力を有するサポート部とを備えており、サポート部の第１ラインが大殿筋の上部から中殿筋及び大転子を通り、サポート部の第２ラインが中殿筋前部から大殿筋下部を通るようになっている。大転子を中心とする下肢部のサポートにより、歩行時などにおける脚部の前後方向の動きをスムーズ化し、体軸に対する重心のブレを防止している。
【特許文献１】特開２００６−３２２１２１号公報
【発明の開示】
【発明が解決しようとする課題】
【０００４】
ところで、上述した従来の運動用股付き衣類では、サポート部の第１ライン及び第２ラインが大転子の位置で交差しており、大転子に緊締力が直接作用する構成となっている。しかしながら、このような構成では、大転子に過剰な緊締力が作用し、骨盤帯の柔軟性がかえって阻害されてしまうという問題がある。そのため、従来の構成では、体幹の回旋や、両脚の回旋・外転・内転といった三次元的な動きが制限され、スイング動作などを行う各種の運動におけるパフォーマンスの向上効果が十分に発揮されないおそれがある。【０００５】
本発明は、上記課題の解決のためになされたものであり、体幹の回旋や、両脚の回旋・外転・内転といった三次元的な動作を伴う各種の運動におけるパフォーマンスを十分に向上させることが可能な運動用股付き衣類を提供することを目的とする。
【課題を解決するための手段】
【０００６】
上記課題の解決のため、本発明に係る運動用股付き衣類は、着用者の下半身の少なくとも一部を被覆する運動用股付き衣類であって、伸縮性を有する素材によって形成された本体部と、本体部よりも高い緊締力を有する緊締部とを備え、緊締部は、本体部の側部において、着用者の大転子の周囲を囲むように環状に形成された左右一対の第１緊締部を備えたことを特徴としている。【０００７】
また、本発明に係る運動用股付き衣類は、着用者の下半身の少なくとも一部を被覆する運動用股付き衣類であって、伸縮性を有する素材によって形成された本体部と、本体部よりも高い緊締力を有する緊締部とを備え、緊締部は、本体部の側部において、着用者の大転子よりも上側を通る第１ラインと、着用者の大転子よりも下側を通る第２ラインとからなり、大転子の位置に接近するに従って第１ラインと第２ラインとの間隔が拡がることで、大転子の周囲を囲むように配置される左右一対の第１緊締部を備えたことを特徴としている。【０００８】
また、本発明に係る運動用股付き衣類は、着用者の下半身の少なくとも一部を被覆する運動用股付き衣類であって、伸縮性を有する素材によって形成された本体部と、本体部よりも高い緊締力を有する緊締部とを備え、緊締部は、本体部の側部において、着用者の大転子の周囲を囲むように複数の緊締部を配置してなる左右一対の第１緊締部を備えたことを特徴としている。【０００９】
これらの運動用股付き衣類では、本体部よりも高い緊締力を有する第１緊締部が、着用者の大転子の周囲を囲むように形成されている。この第１緊締部は、大転子の周囲に存在する中殿筋、大殿筋、大腿筋膜張筋といった筋肉群の動きを助長し、骨盤帯の可動領域が広くなるように作用する。一方、第１緊締部は、大転子を直接的に圧迫せず、大転子自体は自在に動くことが可能となっている。したがって、これらの運動用股付き衣類では、大転子周りの筋肉群のサポートと、骨盤帯の柔軟性の確保の双方を実現でき、体幹の回旋や、両脚の回旋・外転・内転といった三次元的な動作を伴う各種の運動におけるパフォーマンスを効果的に向上させることができる。【００１０】
また、緊締部は、本体部の前部において、着用者の鼠蹊部に沿って延在すると共に第１緊締部に連結された帯状の第２緊締部を更に備えたことが好ましい。この第２緊締部は、着用者の骨盤帯を僅かに前傾させる作用を有する。このように、骨盤体が前傾姿勢を保つことで、体幹・下肢の動き易さの更なる向上が図られる。【００１１】
また、緊締部は、本体部の後部において、着用者の腰部に対応する位置で第１緊締部同士を連結する第３緊締部を更に備えたことが好ましい。この第３緊締部は、着用者の腰部の位置を安定させ、運動時の快適性を高める。【００１２】
また、第１緊締部は、大転子の周囲において、当該本体部における後部上側から前部下側にかけて延在していることが好ましい。運動時における大転子の位置は、人体の側方から見て、背面上側から前面下側にかけて斜めに動くことが多い。したがって、第１緊締部の延在方向を大転子の動き方向と合わせることで、体幹・下肢の動き易さを一層確保できる。【００１３】
また、第２緊締部・第３緊締部は、複数の緊締部によって形成されていてもよい。このような構成であっても、上述した作用効果を奏することが可能である。
【発明の効果】
【００１４】
本発明に係る運動用股付き衣類によれば、体幹の回旋や、両脚の回旋・外転・内転といった三次元的な動作を伴う各種の運動におけるパフォーマンスを十分に向上させることができる。
【図面の簡単な説明】
【００１５】
【図１】本発明の一実施形態に係る運動用股付き衣類を示す斜視図である。
【図２】図１に示した運動用股付き衣類の正面図である。
【図３】図１に示した運動用股付き衣類の背面図である。
【図４】図１に示した運動用股付き衣類の側面図である。
【図５】図１に示した運動用股付き衣類を下方から見た斜視図である。
【図６】正面から見た人体下肢部の骨格群及び筋群を示す図である。
【図７】背面から見た人体下肢部の骨格群及び筋群を示す図である。
【図８】本発明の変形例に係る運動用股付き衣類を示す側面図である。
【図９】本発明の別の変形例に係る運動用股付き衣類を示す側面図である。
【図１０】第１緊締部の機能試験結果を示す図である。
【図１１】第１緊締部の別の機能試験結果を示す図である。
【図１２】第１緊締部の幅についての確認試験結果を示す図である。
【図１３】第２緊締部の機能試験結果を示す図である。
【図１４】第３緊締部の機能試験結果を示す図である。
【図１５】本発明の更に別の変形例に係る運動用股付き衣類を示す側面図である。
【図１６】本発明の更に別の変形例に係る運動用股付き衣類を示す側面図である。
【符号の説明】
【００１６】
１，３０，４０，５０，６０…運動用股付き衣類、１０…本体部、２０…緊締部、２１，３１，６１…第１緊締部、２１ａ，６１ａ…第１ライン、２１ｂ，６１ｂ…第２ライン、２２，４２，６２…第２緊締部、２３，４３，６３…第３緊締部、Ａ…大転子位置。
【発明を実施するための最良の形態】
【００１７】
以下、図面を参照しながら、本発明に係る運動用股付き衣類の好適な実施形態について詳細に説明する。【００１８】
図１は、本発明の一実施形態に係る運動用股付き衣類を示した斜視図である。図２〜４は、図１に示した運動用股付き衣類の正面図、背面図、及び側面図である。また、図５は、図１に示した運動用股付き衣類を下方から見た図である。図１及び図５においては、着用状態における形状を示している。【００１９】
図１〜図５に示すように、運動用股付き衣類１は、例えばゴルファーが練習を行う際、或いはコースでプレーを行う際などに、スイング速度をアップさせる目的で着用するスパッツ型のスポーツ用衣類である。【００２０】
運動用股付き衣類１は、着用者の腰部から大腿部にわたって密着する本体部１０と、本体部１０の表側に縫合された帯状の緊締部２０とを備えている。本体部１０の左右は、前部１０ａから後部１０ｂにかけての中央部分を通る縫着ラインＬ１によって互いに逢着されている。また、また、本体部１０の左右の裾部１０ｃは、股部の中心で縫着ラインＬ１と交差する縫着ラインＬ２によって形成されている。本体部１０のウエスト部１０ｄには、例えばゴム入りのインサイドテープが通されており、着用時のウエストのフィット感が確保されている。【００２１】
本体部１０を構成する素材には、伸縮性を有する素材が用いられる。このような素材としては、例えばポリエステル混糸率８２．９％、ポリウレタン混糸率１７．１％のツーウェイリコットを用いることができる。この場合、着用者に対する運動用股付き衣類１の密着性が良好なものとなる。【００２２】
緊締部２０は、本体部１０の側部に形成された第１緊締部２１と、本体部１０の股部付近に形成された第２緊締部２２と、本体部１０の後部に形成された第３緊締部２３とによって構成されている。緊締部２０は、本体部１０よりも高い緊締力を有しており、その緊締力の作用により、第１緊締部２１〜第３緊締部２３があてがわれた部分の着用者の筋肉・骨格をサポートする機能を有している。緊締部２０は、例えばナイロンの混糸率７９％、ポリウレタンの混糸率２１％のサテンパワーネットを本体部１０に縫着することによって形成されている。【００２３】
なお、緊締部２０は、本体部１０への縫着のほか、本体部１０への貼り付けによって形成してもよく、本体部１０に接ぎ合わせて形成してもよい。また、本体部１０の編み方を変更したり、ウレタンなどの樹脂を塗布したりすることによって本体部１０と一体的に形成してもよい。緊締部２０における着圧は、例えば０．５ｋＰａ〜２．５ｋＰａとすることが好ましい。【００２４】
ここで、第１緊締部２１〜第３緊締部２３の説明に先立って、その緊締力が作用する主な骨格・筋肉について説明する。図６は、正面から見た人体下肢部の骨格群及び筋群を示す図である。図７は、背面から見た人体下肢部の骨格群及び筋群を示す図である。【００２５】
図６及び図７に示すように、人体下肢部の骨盤帯は、寛骨・仙骨・尾骨からなる骨盤、及び股関節などを含んで構成されている。大転子は、大腿骨の上部に位置しており、股関節からやや外側に突出している。骨盤帯の可動には、多くの筋肉が関連しているが、本発明では、大殿筋、中殿筋、及び大腿筋膜張筋の３つの筋肉に着目している。大殿筋は、臀部の表層側において、骨盤下部と大腿骨上部とを結ぶように位置しており、中殿筋は、大殿筋の深部に位置している。大腿筋膜張筋は、太腿の前部から側部にかけて、大腿骨に沿って上下に延在している。【００２６】
第１緊締部２１は、着用者の大転子の周りの筋肉群をサポートする部分である。第１緊締部２１は、図１及び図４に示すように、本体部１０の側部において、左右一対に形成されている。第１緊締部２１は、大転子に対応する位置Ａ（以下、「大転子位置Ａ」と称す）よりも上側を通る第１ライン２１ａと、大転子位置Ａよりも下側を通る第２ライン２１ｂとによって構成され、全体として大転子位置Ａの周囲を囲むような環状をなしている。【００２７】
第１ライン２１ａ及び第２ライン２１ｂは、本体部１０における後部１０ｂの上側から前部１０ａの下側にかけて斜めに延びており、着用状態において、着用者の大殿筋及び中殿筋の上部外側と大腿筋膜張筋の上部とを結ぶようにして、臀部及び大腿部を横断するようになっている。第１ライン２１ａ及び第２ライン２１ｂの幅は、例えば２．５ｃｍ〜６ｃｍとなっており、より好ましくは、４ｃｍ〜６ｃｍとなっている。【００２８】
ここで、第１ライン２１ａは、緩やかな上向きのカーブをなしているのに対し、第２ライン２１ｂは、緩やかな下向きのカーブをなしている。第１ライン２１ａと第２ライン２１ｂとの間隔は、大転子位置Ａに接近するに従って徐々に拡がるようになっている。これにより、第１ライン２１ａと第２ライン２１ｂとの間には、本体部１０が露出する部分（以下、当該部分を「サイドホール２４」と称す）が形成されている。【００２９】
サイドホール２４は、長軸方向の両端が尖った略楕円状をなしており、第１ライン２１ａ及び第２ライン２１ｂの延在方向に対応するように、本体部１０における後部１０ｂの上側から前部１０ａの下側にかけて斜めに延在している。このサイドホール２４は、大転子にかかる第１緊締部２１の緊締力を緩和する部分として機能する。なお、サイドホール２４に該当する部分の本体部１０を構成する素材は、本体部１０の他の部分よりも低い緊締力を有する素材を別途に用いてもよい。【００３０】
第２緊締部２２は、着用者の鼠蹊部をサポートする部分である。第２緊締部２２は、図１及び図５に示すように、本体部１０の前部１０ａにおいて、第１緊締部２１の第１ライン２１ａと一体に、左右一対に形成されている。第２緊締部２２は、第１ライン２１ａの下端部分から縫合ラインＬ２の上部にかけて、サイドホール２４の長軸方向とほぼ平行に斜めに延びており、着用状態において、着用者の鼠蹊部に沿うようになっている。第２緊締部２２の幅は、例えば３ｃｍ〜６ｃｍ程度となっている。【００３１】
第３緊締部２３は、左右の第１緊締部２１，２１を連結する部分である。第３緊締部２３は、図３及び図４に示すように、本体部１０の後部１０ｂにおいて、第１緊締部２１の第２ラインと一体に、左右一対に形成されている。第３緊締部２３は、サイドホール２４の長軸方向とほぼ平行に斜めに延びており、左右の第３緊締部２３，２３は、ウエスト部１０ｄ及びウエスト部１０ｄの下側において、縫合ラインＬ１で互いに連結されている。第３緊締部２３の幅は、例えば６〜８ｃｍ程度となっている。【００３２】
このような運動用股付き衣類１では、着用状態において、第１緊締部２１による緊締力が大転子の周囲に存在する中殿筋、大殿筋、及び大腿筋膜張筋といった筋肉群に作用し、着用者が体幹や両脚の動作を行おうとする際に、骨盤帯の可動領域が広がるようにサポートされる。第１緊締部２１は、大転子位置Ａの周囲を囲むように環状に形成されているため、体幹の回旋や、両脚の回旋・外転・内転といった三次元的な動作が十分にサポートされる。【００３３】
一方、環状の第１緊締部２１の内側には、第１ライン２１ａと第２ライン２１ｂとの間隔が大転子位置Ａに接近するに従って徐々に拡がることにより、サイドホール２４が形成されている。このようなサイドホール２４の形成により、着用者の大転子が第１緊締部２１によって直接的に圧迫されることはなく、大転子自体は自在に動くことが可能となっている。したがって、運動用股付き衣類１では、第１緊締部２１による大転子周りの筋肉群のサポート、及びサイドホール２４による骨盤帯の柔軟性の確保により、クラブやラケットのスイング速度といった各種の運動パフォーマンスを効果的に向上させることができる。【００３４】
また、運動用股付き衣類１では、着用状態において、第２緊締部２２による緊締力が鼠蹊部に沿って作用する。このため、着用者の骨盤帯が僅かに前傾するようにサポートされる。骨盤帯の前傾姿勢を維持することにより、体幹・下肢の動き易さをアップさせ、運動パフォーマンスの更なる向上が図られる。さらに、運動用股付き衣類１では、左右の第１緊締部２１，２１が、本体部１０の後部１０ｂに形成された第３緊締部２３により、着用者の腰部に対応する位置で互いに連結されている。これにより、着用者の腰がふらつかずに安定し、運動時の快適性が高められる。【００３５】
これに加え、運動用股付き衣類１では、大転子の周囲において、第１緊締部２１が本体部１０における後部１０ｂの上側から前部１０ａの下側にかけて延在しており、サイドホール２４の長軸が同方向に沿って斜めに延在している。このような形状は、人体の側方から見た場合の運動時における大転子の動きを考慮したものであり、第１緊締部２１（サイドホール２４）の延在方向を大転子の動き方向と合わせることで、体幹・下肢の動き易さを一層確保することが可能となる。【００３６】
次に、本発明の変形例に係る運動用股付き衣類について説明する。図８は、変形例に係る運動用股付き衣類の側面図である。【００３７】
図８に示すように、運動用股付き衣類３０は、第１緊締部３１が１つのラインで真円状に形成されている点で、第１緊締部２１が第１ライン２１ａ及び第２ライン２１ｂによって長軸方向の両端が尖った略楕円状をなしている上記実施形態と異なっている。サイドホール３２も、第１緊締部３１の形状に対応して真円状となっている。その他の構成については、上記実施形態と同様である。【００３８】
この運動用股付き衣類３０においても、運動用股付き衣類１と同様に、第１緊締部３１が大転子位置Ａの周囲を囲むように環状に形成されているため、体幹の回旋や、両脚の回旋・外転・内転といった三次元的な動作がサポートされる。また、サイドホール３２の形成により、着用者の大転子が第１緊締部３１によって直接的に圧迫されることはなく、大転子自体は自在に動くことが可能となっている。したがって、大転子周りの筋肉群のサポート、及び骨盤帯の柔軟性の確保により、各種の運動パフォーマンスを効果的に向上させることができる。【００３９】
また、図９は、別の変形例に係る運動用股付き衣類を示す側面図である。図９に示すように、運動用股付き衣類４０は、第２緊締部４２及び第３緊締部４３がそれぞれ、上側を通る第１ライン４２ａ，４３ａ及び下側を通る第２ライン４２ｂ，４３ｂによって形成されている点で、第２緊締部２２及び第３緊締部２３が１つのラインで形成されている上記実施形態と異なっている。その他の構成については、上記実施形態と同様である。【００４０】
すなわち、運動用股付き衣類４０では、第２緊締部４２の第１ライン４２ａ及び第３緊締部４３の第１ライン４３ａは、第１緊締部２１の第１ライン２１ａと一体に形成され、サイドホール２４の長軸方向とほぼ平行に斜めに延びている。また、第２緊締部４２の第２ライン４２ｂ及び第３緊締部４３の第２ライン４３ｂは、第１緊締部２１の第２ライン２１ｂと一体に形成され、サイドホール２４の長軸方向とほぼ平行に斜めに延びている。【００４１】
この運動用股付き衣類４０においても、運動用股付き衣類１と同様に、第１緊締部２１が大転子位置Ａの周囲を囲むように環状に形成されているため、体幹の回旋や、両脚の回旋・外転・内転といった三次元的な動作がサポートされる。また、サイドホール２４の形成により、着用者の大転子が第１緊締部２１によって直接的に圧迫されることはなく、大転子自体は自在に動くことが可能となっている。したがって、大転子周りの筋肉群のサポート、及び骨盤帯の柔軟性の確保により、各種の運動パフォーマンスを効果的に向上させることができる。【００４２】
続いて、上述した運動用股付き衣類１の機能試験結果について説明する。【００４３】
［第１緊締部の機能試験］
第１緊締部の機能試験では、まず、１０名のモニターにゴルフクラブのスイングを行わせ、１０回のスイング速度の平均を計測した。各モニターには、実施例として、運動用股付き衣類３０と同様のサンプルを着用させた。また、従来例として、緊締部が全く形成されていないサンプルを着用させ、比較例として、サイドホールが形成されていない（大転子位置が緊締部で覆われる）サンプルを着用させた。図１０は、その試験結果を示す図である。同図に示すように、１０名のモニターの従来例に対するスイング速度の増加量の平均は、比較例では０．２１ｍ／ｓであったのに対し、実施例では０．５３ｍ／ｓであった。【００４４】
次に、３名のモニターにゴルフクラブのスイングを行わせ、５回のスイングにおける腰の回旋速度の平均を計測した。各モニターには、上記と同様の実施例、比較例、従来例の３種のサンプルを着用させた。図１１は、その試験結果を示す図である。同図に示すように、３名のモニターの腰の回旋速度の平均は、従来例では４４６．３ｄｅｇ／ｓ、比較例では４４７．０ｄｅｇ／ｓであったのに対し、実施例では４６２．４ｄｅｇ／ｓであった。【００４５】
以上の結果から、大転子位置に直接的に緊締力を加えると、従来例に比べてスイング速度の向上が見られるものの、腰の回旋速度には大きな変化がないことがわかった。このことから、比較例では、緊締力が筋肉に作用する一方で、骨盤帯の動きが阻害され、スイング速度の向上効果が十分に得られないことが確認できた。これに対し、実施例では、大転子の動きをフリーにすることで、骨盤帯の柔軟性を生かした自然なスイングが可能となり、スイング速度の向上効果が十分に得られることが確認できた。【００４６】
［第１緊締部の幅についての確認試験］
この確認試験では、第１緊締部の幅が異なるサンプルを順次着用させた６名のモニターにゴルフクラブのスイングを行わせ、１０回のスイング速度の増加量の平均を計測した。実施例１では、第１緊締部の幅を６．０ｃｍ（外径１８．０ｃｍ、内径６．０ｃｍ）とし、実施例２では、第１緊締部の幅を４．０ｃｍ（外径１８．０ｃｍ、内径１０．０ｃｍ）とした。また、比較例１では、第１緊締部の幅を４．５ｃｍ（外径１５．０ｃｍ、内径６．０ｃｍ）とし、比較例２では、第１緊締部の幅を２．５ｃｍ（外径１５．０ｃｍ、内径１０．０ｃｍ）とした。比較例３では、第１緊締部の幅を３．０ｃｍ（外径１２．０ｃｍ、内径６．０ｃｍ）とした。【００４７】
図１２は、その試験結果を示す図である。同図に示すように、６名のモニターのスイング速度の増加量の平均は、また、比較例１及び比較例２では、いずれも０．６ｍ／ｓであり、比較例３では、０．３ｍ／ｓであった。これに対し、実施例１では０．９ｍ／ｓ、実施例２では１．１ｍ／ｓであった。この結果から、第１緊締部の幅は、２．５ｃｍ〜６ｃｍ程度とすることが好適であり、４ｃｍ〜６ｃｍ程度とすることがより好適であることが確認できた。なお、第１緊締部の外径は、本体部の形状の関係から１８ｃｍ以下とすることが好ましく、第１緊締部の内径は、運動時の大転子の動きと着用者の体型の個人差とを考慮し、６ｃｍ以上とすることが好ましい。【００４８】
［第２緊締部の機能試験］
第２緊締部の機能試験では、５名のモニターにゴルフクラブのスイングを行わせ、１０回のスイング速度の増加量の平均を計測した。各モニターには、実施例として、第１緊締部及び第２緊締部が形成されたサンプルを着用させ、比較例として、第１緊締部のみが形成されたサンプルを着用させた。なお、実施例における第２緊締部の幅は、３．５ｃｍとした。【００４９】
図１３は、その試験結果を示す図である。同図に示すように、５名のモニターのスイング速度の増加量の平均は、比較例では０．４２ｍ／ｓであったのに対し、実施例では０．５４ｍ／ｓであった。このことから、第２緊締部によって骨盤帯の前傾姿勢を維持させることが、運動パフォーマンスの向上に寄与することが確認された。【００５０】
［第３緊締部の機能試験］
第３緊締部の機能試験では、５名のモニターにゴルフクラブのスイングを行わせ、テイクバックのとり易さ、及びスイング時の腰の捻り易さについて、１０点を満点（基準点５点）とする主観評価を行った。各モニターには、実施例として、運動用股付き衣類１と同様のサンプルを着用させた。また、比較例１として、緊締部が全く形成されていないサンプルを着用させ、比較例２として、第１緊締部及び第２緊締部のみが形成されたサンプルを着用させた。【００５１】
図１４は、その試験結果を示す図である。図１４（ａ）に示すように、テイクバックのとり易さについては、各モニターの評価の平均は、比較例１では５．０点、比較例２では６．６点であったのに対し、実施例では７．２点であった。また、図１４（ｂ）に示すように、スイング時の腰の捻り易さについては、各モニターの評価の平均は、比較例１では５．０点、比較例２では６．２点であったのに対し、実施例では７．４点であった。以上の結果から、第３緊締部による腰の安定化が、運動時の快適性の向上につながっていることが確認できた。【００５２】
本発明は、上記実施形態に限られるものではない。例えば上述した運動用股付き衣類１，３０，４０では、第１緊締部２１，３１が大転子位置Ａの周囲を完全に囲むようになっているが、例えば図１５に示す運動用股付き衣類５０のように、第１ライン２１ａの前側の端部と第２ライン２１ｂの前側の端部との間、及び第１ライン２１ａの後側の端部と第２ライン２１ｂの後ろ側の端部との間が途切れていてもよい。また、例えば図１６に示す運動用股付き衣類６０のように、複数の円形状の緊締部２０を略ライン状に配置することにより、第１緊締部６１の第１のライン６１ａ及び第２のライン６１ｂ、第２緊締部６２、及び第３緊締部６３を形成するようにしてもよい。円形状の緊締部２０は、１列とは限らず、メッシュ状に配列してもよい。複数の緊締部２０の形状は、円形状の他、四角形、星形などとしてもよい。【００５３】
緊締部２０は、本体部１０の裏側に設けてもよい。この場合、緊締部２０が着用者の肌側に隠れるので、運動用股付き衣類１，３０，４０の見た目をすっきりさせることができる。また、上述した実施形態では、スパッツ型の股付き衣類を例示したが、スパッツ型のほか、例えばパンツ、ガードル、タイツ、ストッキングといった各種の股付き衣類にも適用可能である。
【図１】
2009034621.tif 000003
【図２】
2009034621.tif 000004
【図３】
2009034621.tif 000005
【図４】
2009034621.tif 000006
【図５】
2009034621.tif 000007
【図６】
2009034621.tif 000008
【図７】
2009034621.tif 000009
【図８】
2009034621.tif 000010
【図９】
2009034621.tif 000011
【図１０】
2009034621.tif 000012
【図１１】
2009034621.tif 000013
【図１２】
2009034621.tif 000014
【図１３】
2009034621.tif 000015
【図１４】
2009034621.tif 000016
【図１５】
2009034621.tif 000017
【図１６】
2009034621.tif 000018
【手続補正書】
【提出日】平成20年12月12日(2008.12.12)
【手続補正１】
【補正対象書類名】明細書
【補正対象項目名】００２０
【補正方法】変更
【補正の内容】
【００２０】
運動用股付き衣類１は、着用者の腰部から大腿部にわたって密着する本体部１０と、本体部１０の表側に縫合された帯状の緊締部２０とを備えている。本体部１０の左右は、前部１０ａから後部１０ｂにかけての中央部分を通る縫着ラインＬ１によって互いに縫着されている。また、本体部１０の左右の裾部１０ｃは、股部の中心で縫着ラインＬ１と交差する縫着ラインＬ２によって形成されている。本体部１０のウエスト部１０ｄには、例えばゴム入りのインサイドテープが通されており、着用時のウエストのフィット感が確保されている。
【手続補正２】
【補正対象書類名】明細書
【補正対象項目名】００２１
【補正方法】変更
【補正の内容】
【００２１】
本体部１０を構成する素材には、伸縮性を有する素材が用いられる。このような素材としては、例えばポリエステル混糸率８２．９％、ポリウレタン混糸率１７．１％のツーウェイトリコットを用いることができる。この場合、着用者に対する運動用股付き衣類１の密着性が良好なものとなる。
【手続補正３】
【補正対象書類名】明細書
【補正対象項目名】００４７
【補正方法】変更
【補正の内容】
【００４７】
図１２は、その試験結果を示す図である。同図に示すように、６名のモニターのスイング速度の増加量の平均は、比較例１及び比較例２では、いずれも０．６ｍ／ｓであり、比較例３では、０．３ｍ／ｓであった。これに対し、実施例１では０．９ｍ／ｓ、実施例２では１．１ｍ／ｓであった。この結果から、第１緊締部の幅は、２．５ｃｍ〜６ｃｍ程度とすることが好適であり、４ｃｍ〜６ｃｍ程度とすることがより好適であることが確認できた。なお、第１緊締部の外径は、本体部の形状の関係から１８ｃｍ以下とすることが好ましく、第１緊締部の内径は、運動時の大転子の動きと着用者の体型の個人差とを考慮し、６ｃｍ以上とすることが好ましい。
【国際調査報告】
2009034621.tif 000019
2009034621.tif 000020